(57)【要約】      （修正有）【課題】非開削工法で地中の既設管等に対し地表側から取付管を取付けた場合に、取付管の取付け部付近の耐震性を向上、強化することができる既設管等と取付管の取付方法の提供。【解決手段】非開削工法による既設管等に対する取付管の取付方法において、取付管として、自在取付管と通常取付管からなる取付管を用いるものであり、該自在取付管は柔軟性、弾力性、伸縮性等の1以上の性質を有するプラスチック、合成ゴム等の素材で設け、通常取付管は従来の取付管と同じ塩ビ管等であって、まず、既設管等に自在取付管を取付け、該自在取付管に通常取付管を接続して、既設管等に取付管を取付けた状態にした後、該状態における、既設管等と自在取付管の取付け部、自在取付管、及び、自在取付管と通常取付管と接続部等の周囲に発泡プラスチックを充填するようにした、既設管等と取付管の取付方法。【選択図】図１
2006038053.tif 000002
【特許請求の範囲】
【請求項１】
非開削工法による既設管等に対する取付管の取付け方法において、取付管として、自在取付管と通常取付管からなる取付管を用いるものであり、
該自在取付管は地震の振動、衝撃等の外力に順応する、ポリエチレン等の柔軟性、弾力性、伸縮性等の1以上の性質を有するプラスチック、合成ゴム等の素材で設けたものであり、通常取付管は従来の取付管と同じ塩ビ管等であって、
まず、既設管等に自在取付管を取付け、該自在取付管に通常取付管を接続して、既設管等に取付管を取付けた状態にした後、
該状態における、既設管等と自在取付管の取付け部、自在取付管、及び、自在取付管と通常取付管と接続部等の周囲に発泡プラスチックを充填することを特徴とする、
既設管等と取付管の取付方法。
【請求項２】
非開削工法による既設管等に対する取付管の取付け方法において、取付管として、通常取付管と設定長の自在取付管とからなる取付管を用いるものであり、若しくは、既設管等と自在取付管の取付け部分にカップリング等の接続部材を用いるものであり、
通常取付管は従来の取付管と同じ塩ビ管等であり、自在取付管は地震の振動、衝撃等の外力に順応する、ポリエチレン等の柔軟性、弾力性、伸縮性等の1以上の性質を有するプラスチック、合成ゴム等の素材をもって、通常取付管と同径若しくは略同径で設定長に設けたものであり、また、接続部材は塩ビ等の従来部材と同素材のもの若しくは自在取付管と同素材のものであって、
まず、該接続部材を既設管等に固着し、該接続部材に設定長の自在取付管を接続し、次いで該自在取付管に通常取付管をカップリング等を用いて接続して、既設管等に自在取付管と通常取付管からなる取付管を取付けた状態にした後、
上記状態における、既設管等と接続部材、接続部材と自在取付管、自在取付管、及び、自在取付管と通常取付管の接続部等の周囲に、従来のモルタル、土等に代えて、発泡プラスチックを充填することを特徴とする、
請求項１に記載の既設管等と取付管の取付方法。
【発明の詳細な説明】
【技術分野】
【０００１】
地中に既に埋設されている上下水道等の既設管（コンクリートヒューム管、塩ビ管等）、及び、地中桝、マンホール等の地下埋設施設（以上を総称して、既設管等と記す。）に対し、道路等の地表側、立杭等の発進坑内（以下、地表側と記す。）から非開削工法で取付管（枝管、分岐管に同じ、以下、取付管と記す。）を取付ける場合の、耐震性に優れた既設管等と取付管の取付構成に関するものである。
【背景技術】
【０００２】
従来、地中に既に埋設されている既設管等に対し、地表側から非開削工法で取付管、主として塩ビ管を取付ける場合の工法として、
「開削工法」、即ち、地中の取付けを行う既設管等の取付工事付近を掘り拡げて（開削）、既設管等の取付部分を露出し、作業者がそれを直接目視し乍ら工事を行う工法と、
【０００３】
「非開削工法」、即ち、開削工法のように地中の取付けを行う既設管等の取付工事付近を掘り拡げせずに（非開削若しくは不開削）、地表側から地中遠隔点に埋設されたままの既設管等に対し、例えば、鞘管を削進して既設管等に到達せしめた後清掃した該鞘管内に取付管を挿入して、取付管と既設管等の取付部分を直接目視せずに（直接目視不能状態）、既設管等に取付管を取付ける工法が行われているが、
近時、特に都会市街地等の工事に於いて、既設施設建造物等の密集地や道路開削の制限等の事情から、非開削工法による工事が要望されることが極めて多くなっている。
【０００４】
しかして、従来、当業者の、非開削工法による既設管等に対する取付管の取付けは、まず、地表側から鞘管を削進して既設管等に到達し、該鞘管内の土砂をスクリューオーガ等の排出手段で排出しきれいに清掃してから、該鞘管内に取付管を挿入し、既設管等に対して該取付管の先端を固着して、既設管等に取付管を取付けている。
【０００５】
然るところ、既設管等に取付管を水密強固に取付けた場合、地震の振動、衝撃等の外力が取付け部分およびその周辺に加わった場合、取付管が例えば塩ビ管のように小径で柔軟性、弾力性等にかけている場合、該取付管が地震の振動、衝撃等の外力に耐久できずに取付け部が外れたり、ひびが入ったり、損壊、破断したりする恐れがあり、よって、特に、取付管の取付け部付近の耐震性の向上、強化が大きな課題とされてきた。
【０００６】
そこで、従来、「開削工法」においては、例えば、既設管等に塩ビ管等の取付管を取付ける部分に、湾曲性、伸縮性等を有するベローズカップリング(ジャバラ状の管継手若しくは短管等。)を介在接続して、上記耐震性の強化を図っている。
【０００７】
ところが、「非開削工法」においては、上記ベローズカップリングを用いる手段は地表から目視できない地中で取付け工事ができないため、実施されていない。
即ち、従来、「非開削工法」においては、取付け部分の耐震性の強化は、部材及び取付けの強化の他は、全く打つ手が無い状態であり、よって、取付管の取付け部分の耐震性の強化が大きな課題とされ、その有効な解決手段の提供が強く望まれているものである。
【０００８】
また、上記「開削工法」でベローズカップリングを用いた場合でも、通常、既設管等と取付管の間に取付け完了した後、ベローズカップリングの周囲にモルタル若しくは土を充填して取付部周辺を埋設しているため、ベローズカップリングの各外周溝若しくは凹部内にモルタル等が詰まってしまい、よって、蛇腹状の管の湾曲性、伸縮性等が全く減殺されてしまって耐震性の強化が期待できない状態であり、そのため、「開削工法」でも依然として、取付管の取付け部分の耐震性の強化が大きな課題とされているものである。
【特許文献１】特許第３３７９０５７号公報
【発明の開示】
【発明が解決しようとする課題】
【０００９】
本発明が解決しようとする課題は、既設管等と既設管等よりも通常小径な取付管(例、塩ビ管)との取付け部分が、地震の振動、衝撃等の外力に耐久できずに、外れたり、ひびが入ったり、損壊、破断したりする課題を解決するために、既設管等と取付管の取付け部分の構成の耐震性を向上、強化することにある。
【課題を解決するための手段】
【００１０】
本発明は、非開削工法による既設管等に対する取付管の取付方法において、取付管として、自在取付管と通常取付管からなる取付管を用いるものであり、
該自在取付管は地震の振動、衝撃等の外力に順応する、ポリエチレン等の柔軟性、弾力性、伸縮性等の1以上の性質を有するプラスチック、合成ゴム等の素材で設けたものであり、通常取付管は従来の取付管と同じ塩ビ管等であって、
【００１１】
まず、既設管等に自在取付管を取付け、該自在取付管に通常取付管を接続して、既設管等に取付管を取付けた状態にした後、
【００１２】
該状態における、既設管等と自在取付管の取付け部、自在取付管、及び、自在取付管と通常取付管と接続部等の周囲に発泡プラスチックを充填することを特徴とする、既設管等と取付管の取付方法によって、課題を解決したものである。
【発明の効果】
【００１３】
本発明は、既設管等に対する取付管の取付け部分に、ポリエチレン等の柔軟性、弾力性、伸縮性等の1以上の性質を有するプラスチック、合成ゴム等の素材で設けた設定長の取付管を介在設置すると共に、その取付け部、自在取付管等の周囲に発泡プラスチックを注入充填するようにしたので、取付け部、自在取付管等に対して地震の振動、衝撃等の外力にが加わった時に、発泡プラスチック材のクッション弾性によって外力を吸収、減殺すると同時に、自在取付管が外力に順応して自在に変形し、撓み、弾発し、或いは復元するなど出来るため、地震の振動、衝撃等の外力に順応、耐久することができ、その結果、既設管等と取付管の取付け部分が外れたり、ひびが入ったり、損壊、破断したりする恐れを排除することができ、よって、耐震性を格段に向上、強化し得る優れた効果がある。
【発明を実施するための最良の形態】
【００１４】
既設管等と通常取付管の間に１０００〜２０００ｍｍの自在取付管を介在設置して、既設管等に取付管(自在取付管と通常取付管からなる取付管)を取付けた状態とし、その状態の既設管等と自在取付管の取付け部分、自在取付管、及び、自在取付管と通常取付管の接続部分等の周囲に発泡プラスチックを注入充填するようにした、既設管等と取付管の取付方法によって実現する。
【実施例】
【００１５】
図１は本発明方法の実施状態を示す縦断正面図である。
以下、図１を参照。
【００１６】
非開削工法による既設管等１に対する取付管２の取付方法において、取付管２として、通常取付管２ａと設定長の自在取付管２ｂとからなる取付管２を用いるものであり、また、必要に応じて、既設管等１と自在取付管２ｂの取付け部分にカップリング等の接続部材３を用いるものであり、
【００１７】
通常取付管２ａは従来と同じ塩ビ管等であり、自在取付管２ｂは地震の振動、衝撃等の外力に順応する、ポリエチレン等の柔軟性、弾力性、伸縮性等の1以上の性質を有するプラスチック、合成ゴム等の素材をもって、通常取付管２ａと同径若しくは略同径で設定長、例えば１０００〜２０００ｍｍに設けたものであり、また、接続部材３は塩ビ等の従来部材と同素材のもの若しくは自在取付管２ｂと同素材のものであって、
【００１８】
まず、該接続部材３を既設管等１に固着し、該接続部材３に設定長の自在取付管２ｂを接続し、次いで該自在取付管２ｂに通常取付管２ａをカップリング４等を用いて接続して、既設管等１に自在取付管２ｂと通常取付管２ａからなる取付管２を取付けた状態にした後、
【００１９】
上記状態における、既設管等１と接続部材３、接続部材３と自在取付管２ｂ、自在取付管２ｂ、及び、自在取付管２ｂと通常取付管２ａの接続部等の周囲に、従来のモルタル、土等に代えて、発泡プラスチック５を充填することを特徴とする、既設管等と取付管の取付方法である。
なお、通常取付管２ａの周囲には従来通りモルタル、土等６を充填する。
図面において、符号７は鞘管、８は地盤を示す。
【産業上の利用可能性】
【００２０】
本発明は、主として、非開削工法による既設管等に対する取付管の取付方法において、既設管等に通常取付管と設定長の自在取付管とからなる取付管を取付けた後、その取付部、自在取付管等の周囲に発泡プラスチックを充填する方法であるが、
同時に、既設管等に従来通りに通常取付管を取付けた場合でも、その取付部等の周囲に発泡プラスチックを充填する方法も包含しており、
更に、開削工法による既設管等に対する取付管の取付け方法としてもそのまま実施できるものであるので、
当然、それらも本発明の技術的構成範囲に含まれるものである。
【図面の簡単な説明】
【００２１】
【図１】本発明方法の実施状態を示す縦断正面図である。
【符号の説明】
【００２２】
１    既設管等
２    取付管
２    通常取付管
２    自在取付管
３    接続部材
４    カップリング
５    発泡プラスチック
６    モルタル、土等
７    鞘管
８    地盤
【図１】
2006038053.tif 000003